(57)【要約】本発明は空気清浄機に関する。本発明の実施例に係る空気清浄機には、半径方向に空気の吸い込みが可能な吸込部を有する円筒状のケースと；前記ケースの内部に着脱可能に備えられ、円筒状の形状を有するフィルター部材と；前記フィルター部材を収容又は支持するためのフィルターフレームとが含まれ、前記フィルターフレームには、前記フィルター部材の下部に備えられる下部フレームと；前記フィルター部材の上部に備えられる上部フレームと；前記下部フレームから前記上部フレームに向かって延びる多数の支持フレームとが含まれ、前記多数の支持フレームの間には、前記フィルター部材を引き込むための引込部が形成される。【選択図】図１３
2019512078.tif 000002
【特許請求の範囲】
【請求項１】
空気清浄機であって、
半径方向に空気の吸い込みが可能な吸込部を有する円筒状のケースと、
前記ケースの内部に着脱可能に備えられ、円筒状の形状を有するフィルター部材と、
前記フィルター部材を収容又は支持するためのフィルターフレームとを備えてなり、
前記フィルターフレームには、
前記フィルター部材の下部に備えられる下部フレームと、
前記フィルター部材の上部に備えられる上部フレームと、
前記下部フレームから前記上部フレームに向かって延びる多数の支持フレームとが備えられてなり、
前記多数の支持フレームの間には、前記フィルター部材を引き込むための引込部が形成される、空気清浄機。
【請求項２】
前記多数の支持フレームは円周方向に配列される、請求項１に記載の空気清浄機。
【請求項３】
前記多数の支持フレームには、
２つの第１フレームと、
前記２つの第１フレームの間の空間に配置される第２フレームとが備えられてなる、請求項２に記載の空気清浄機。
【請求項４】
前記引込部は、
前記２つの第１フレームの間の空間のうち、前方空間を形成する、請求項３に記載の空気清浄機。
【請求項５】
前記第２フレームは、前記２つの第１フレームの間の空間のうち、後方空間に配置される、請求項４に記載の空気清浄機。
【請求項６】
前記第１フレームの円周方向の長さは、
前記第２フレームの円周方向の長さよりも長く形成される、請求項３に記載の空気清浄機。
【請求項７】
前記第１フレーム又は前記第２フレームには、
前記吸込部を介して吸い込まれた空気を前記フィルター部材にガイドする流動ガイド部が備えられてなる、請求項３に記載の空気清浄機。
【請求項８】
前記流動ガイド部にはスリットが備えられてなる、請求項７に記載の空気清浄機。
【請求項９】
前記２つの第１フレーム及び前記第２フレームは、前記フィルター部材の外周面を支持するように配置される、請求項３に記載の空気清浄機。
【請求項１０】
前記第１フレームには、
前記フィルター部材の装着を案内する直面部と、
前記直面部から前記第２フレームに向かってラウンド状に延びて、前記フィルター部材を支持する曲面部とが備えられてなる、請求項３に記載の空気清浄機。
【請求項１１】
前記第２フレームが多数個備えられてなる、請求項３に記載の空気清浄機。
【請求項１２】
前記支持フレームの外側に結合されるフレームカバーと、
前記支持フレームと前記フレームカバーとの間に形成され、電線が位置する電線空間部とがさらに備えられてなる、請求項１に記載の空気清浄機。
【請求項１３】
前記下部フレームの内側に配置されて前記フィルター部材の下側を支持する支持部材がさらに備えられ、前記多数の支持フレームは、前記支持部材の周りに沿って配列される、請求項１に記載の空気清浄機。
【請求項１４】
前記支持部材の下側に設置され、前記フィルター部材の上方又は下方への移動のために、操作可能なハンドルがさらに備えられてなる、請求項１３に記載の空気清浄機。
【請求項１５】
前記ハンドルの一方向への回転時に、前記フィルター部材は上方に移動して前記装着空間に装着され、
前記ハンドルの他方向への回転時に、前記フィルター部材は下方に移動して前記装着空間から分離可能な位置にあるようになる、請求項１４に記載の空気清浄機。
【請求項１６】
半径方向に空気の吸い込みが可能な吸込部を有するケースと、
前記ケースの内部に着脱可能に備えられるフィルター部材と、
前記フィルター部材の出口側に配置される送風ファンと、
前記フィルター部材の下部に備えられる下部フレームと、
前記フィルター部材の上部に備えられる上部フレームと、
前記下部フレームから前記上部フレームに向かって延びる支持フレームとが備えられてなり、
前記下部フレーム、前記上部フレーム及び前記支持フレームは前記フィルター部材の装着空間を形成し、
前記フィルター部材は、前記装着空間に向かって半径方向に移動して装着される、空気清浄機。
【請求項１７】
前記ケースは円筒状に備えられ、
前記吸込部は、前記ケースの外周面に形成されて半径方向に空気の吸い込みをガイドすることを特徴とする、請求項１６に記載の空気清浄機。
【請求項１８】
前記支持フレームには、多数の第１フレームが備えられ、
前記多数の第１フレームの間の空間の前方部には、前記装着空間の引込部が形成される、請求項１６に記載の空気清浄機。
【請求項１９】
前記支持フレームには、
前記多数の第１フレームの間の空間の後方部に配置される第２フレームが備えられてなる、請求項１８に記載の空気清浄機。
【請求項２０】
前記送風ファンを収容するファンハウジングがさらに備えられてなり、
前記上部フレームは前記ファンハウジングを支持する、請求項１９に記載の空気清浄機。
【発明の詳細な説明】
【技術分野】
【０００１】
本発明は、空気清浄機に関する。
【背景技術】
【０００２】
空気清浄機は、汚染された空気を吸い込んで浄化した後、浄化した空気を排出させる装置として理解される。一例として、空気清浄機には、外部の空気を空気清浄機の内部に流入させるための送風装置、及び空気中の塵埃や細菌などをろ過できるフィルターが含まれ得る。
【０００３】
一般に、空気清浄機は、家庭や事務室のような室内空間を浄化するように構成される。従来の空気清浄機によれば、その容量が制限されて室内空間全体の空気を浄化させることが制限されるという問題があった。したがって、前記空気清浄機の周辺の空気は浄化できる反面、前記空気清浄機から遠く離れた空間の空気は浄化することが難しいという問題があった。
【０００４】
これを解決するために、空気清浄機に備えられるファンの性能を改善させる努力があったが、ファンの送風量が大きくなるほど、ファンから発生する騒音が大きくなってしまい、製品に対する信頼性が低下するという問題があった。
【０００５】
結局、空気清浄機の制限された容量によって、使用者は、空気清浄機を移動させながら、所望の空間の空気を浄化させなければならないという不便さがあった。
【０００６】
従来の空気清浄機に関連して、本出願人は、以下のような先行文献を開示している。
【０００７】
１．公開番号（公開日）：ＫＲ１０−２０１２−００７１９９２（２０１２年７月３日）
【０００８】
２．発明の名称：空気清浄機
【０００９】
前記先行文献によれば、空気清浄機の本体は、略直方体形状のケースの内部に、ファンとフィルターのような空気清浄部品が設けられる。そして、空気吸込口は、空気清浄機の本体の側方部及び下部に形成され、空気吐出口は、本体の上部に形成される。
【００１０】
このような構成によれば、空気清浄機を基準として、制限された方向、すなわち、側方及び下方から汚染された空気が吸い込まれるため、吸込容量が少なくなるという問題があった。そして、直方体形状を有するケースの角部は、空気の吸い込みを妨げる構造的な抵抗として作用するようになる。
【００１１】
また、前記空気清浄機の内部で浄化された空気は、一方向、すなわち、上方にのみ吐出されることによって、空気清浄機の周辺の空気は浄化できる反面、前記空気清浄機から遠く離れた空間までは前記浄化された空気を流動させることができないため、空気清浄機能が制限されるという問題があった。
【００１２】
また、前記空気清浄機の本体の内部には一つの送風ファンのみが提供されることによって、送風容量が制限されるという問題があった。
【発明の概要】
【発明が解決しようとする課題】
【００１３】
本実施例は、上記の問題点を解決するために、空気清浄機に吸い込まれる空気の吸込容量を改善することができる空気清浄機を提供することを目的とする。
【００１４】
また、ケースに形成される吸込部の位置を改善して、前記吸込部を介して吸い込まれる空気の流量を増加させる空気清浄機を提供することを目的とする。
【００１５】
また、空気清浄機のファンを収容するファンハウジングの形状を改善して、前記吸込部を介して吸い込まれた空気がフィルター部材に容易に流動できるようにする空気清浄機を提供することを目的とする。特に、前記吸込部からフィルター部材に向かう空気流路の大きさが次第に大きくなり得るように、ファンハウジングの形状を改善して、前記フィルター部材に向かう空気流動が円滑に行われ得るようにする空気清浄機を提供することを目的とする。
【００１６】
また、ケースの構造を改善して、ケースの分離を容易にし、空気清浄機の内部部品に容易に接近できるようにする空気清浄機を提供することを目的とする。
【００１７】
また、送風容量が増加した空気清浄機を提供することを目的とする。
【００１８】
また、本実施例は、フィルターの浄化能力を改善し、フィルターの交換が容易な空気清浄機を提供することを目的とする。特に、円筒状のケースの内部に容易に着脱可能なフィルター部材が備えられる空気清浄機を提供することを目的とする。
【００１９】
また、フィルター部材を安定的に支持することができる空気清浄機を提供することを目的とする。
【００２０】
また、前記フィルター部材の出口側に配置されるファンハウジングを安定的に支持することができる空気清浄機を提供することを目的とする。
【課題を解決するための手段】
【００２１】
本発明の実施例に係る空気清浄機には、半径方向に空気の吸い込みが可能な吸込部を有する円筒状のケースと；前記ケースの内部に着脱可能に備えられ、円筒状の形状を有するフィルター部材と；前記フィルター部材を収容又は支持するためのフィルターフレームとが含まれ（とを備えてなり）、前記フィルターフレームには、前記フィルター部材の下部に備えられる下部フレームと；前記フィルター部材の上部に備えられる上部フレームと；前記下部フレームから前記上部フレームに向かって延びる多数の支持フレームとが含まれ（とを備えてなり）、前記多数の支持フレームの間には、前記フィルター部材を引き込むための引込部が形成される。
【００２２】
他の側面による空気清浄機には、半径方向に空気の吸い込みが可能な吸込部を有するケースと；前記ケースの内部に着脱可能に備えられるフィルター部材と；前記フィルター部材の出口側に配置される送風ファンと；前記フィルター部材の下部に備えられる下部フレームと；前記フィルター部材の上部に備えられる上部フレームと；前記下部フレームから前記上部フレームに向かって延びる支持フレームとが含まれ（とを備えてなり）、前記下部フレーム、前記上部フレーム及び前記支持フレームは前記フィルター部材の装着空間を形成し、前記フィルター部材は、前記装着空間に向かって半径方向に移動して装着される。
【発明の効果】
【００２３】
本実施例によれば、円筒状のケースの外周面に沿って吸込部が形成され、前記吸込部を介して半径方向への空気の吸い込みが可能であるので、吸込容量を改善することができ、空気の吸込過程でケースの構造的な抵抗が発生しないという効果がある。
【００２４】
特に、前記吸込部には多数の通孔が含まれ、前記多数の通孔は、ケースの外周面全体にわたって均一に形成できるので、空気清浄機を基準として３６０°方向において、前記空気清浄機の内部に向かう吸込流路を形成できるようになる。その結果、空気の吸込面積が増加し得、室内にいる者が座っていたり、立っていても、その周辺の空気を十分に吸い込むことができるという効果が奏される。
【００２５】
また、フィルター部材は、フィルターフレームによって安定的に支持され、前記フィルターフレームの内部に形成される装着空間に便利に装着できるという利点がある。
【００２６】
特に、前記フィルター部材は、半径方向に移動して前記装着空間に結合され、前記装着空間から半径方向に移動して前記装着空間から分離され得るので、フィルターの着脱のための使用者の利便性を増大させることができる。
【００２７】
また、フィルター部材は円筒状に備えられることで、空気がフィルター部材の外側の全方向からフィルター部材の内部に流入し得るので、吸込面積を増大させることができ、これによって、フィルターの空気清浄能力を改善することができるという利点がある。
【００２８】
また、前記フィルターフレームには、フィルター部材の下部に備えられる下部フレームと、前記フィルター部材の上部に備えられる上部フレームと、前記下部フレームから前記上部フレームに向かって延びる支持フレームとが含まれることで、前記フィルター部材の装着空間を設けることができるので、空気清浄機の空間活用性を改善することができる。
【００２９】
また、前記支持フレームは多数個備えられるので、前記上部フレームと下部フレームを安定的に支持することができる。そして、前記フィルターフレームの上側に備えられる空気清浄機の部品を安定的に支持することができる。
【００３０】
詳細には、前記多数個の支持フレームには、２つの第１フレームと、及び前記２つの第１フレームの間の空間のうち後方部に配置される第２フレームとが含まれ、前記２つの第１フレームの間の空間のうち前方部には、前記フィルター部材の引き込み又は引き出しのための引込部が形成されるので、フィルター部材の着脱が容易であり、前記フィルター部材の上側に備えられるファンを安定的に支持することができる。
【００３１】
また、前記第１フレームの円周方向の長さ（又は幅）が、前記第２フレームの円周方向の長さ（又は幅）よりも大きく形成されるので、前記２つの第１フレームの間の空間のうち前方部での支持力を補完できるという利点がある。
【００３２】
また、前記フィルター部材の下側には、支持装置と、ハンドルを備えるレバー装置とが備えられ、前記ハンドルの操作によってフィルター部材の装着位置又は解除位置への移動を容易に行うことができる。
【００３３】
また、前記支持フレームには、ケースの吸込部を介して吸い込まれた空気をフィルター部材にガイドする流動ガイド部（スリット）が含まれるので、空気の流動を円滑にすることができるという利点がある。
【００３４】
また、前記第１ケース又は前記第２ケースはフィルターフレームに安定的に支持され、前記第１及び第２ケースに形成される吸込部がフィルター部材に相対的に近接して位置できるようになる。その結果、前記吸込部を介して前記フィルター部材に流動する空気の流動損失を低減することができる。
【００３５】
また、多数の送風装置が提供されるので、空気清浄機の送風容量を改善することができるという利点がある。
【００３６】
また、空気清浄機の送風容量を増加させるための遠心ファン、及び前記遠心ファンの出口側に配置されるエアガイド装置が備えられるので、遠心ファンを通過して半径方向に流動する空気が吐出部に向かって上方に容易にガイドされ得る。
【００３７】
また、前記第１及び第２送風装置を通じて互いに独立した空気流動が発生して、空気流動の相互間に互いに邪魔になる現象を防止することができ、これによって、空気流動性が改善される効果が奏される。
【００３８】
また、送風ファンには、空気を軸方向に吸い込んで半径方向に吐出するターボファンが含まれるので、風量を増加させることができるという利点がある。
【図面の簡単な説明】
【００３９】
【図１】本発明の実施例に係る空気清浄機の外観を示す斜視図である。
【図２】本発明の実施例に係る空気清浄機の内部構成を示す斜視図である。
【図３】図２のＩＩＩ−ＩＩＩ’に沿って切断した断面図である。
【図４】本発明の実施例に係る第１送風装置の構成を示す分解斜視図である。
【図５】本発明の実施例に係るフィルター部材の下側に備えられる部品の構成を示す分解斜視図である。
【図６】本発明の実施例に係る支持装置の構成を示す底面斜視図である。
【図７】本発明の実施例に係るフィルター部材の構成を示す分解斜視図である。
【図８】本発明の実施例に係るフィルター部材の構成を示す断面図である。
【図９】図８の「Ａ」部分を拡大した図である。
【図１０】図８の「Ｂ」部分を拡大した図である。
【図１１】本発明の実施例に係るフィルターフレームの構成を示す図である。
【図１２】本発明の実施例に係るファンハウジングの構成を示す斜視図である。
【図１３】本発明の実施例に係るフィルターフレームの構成を示す概略図である。
【図１４】本発明の実施例に係るフィルター部材が装着空間に設置及び分離される様子を示す図である。
【図１５】本発明の実施例に係るフィルター部材が装着空間に設置及び分離される様子を示す図である。
【図１６】本発明の実施例に係る空気清浄機での空気流動の様子を示す図である。
【図１７】本発明の実施例に係る空気清浄機での空気流動の様子を示す図である。
【図１８】本発明の実施例に係る空気清浄機での空気流動の様子を示す図である。
【図１９】本発明の第２実施例に係るフィルターフレームの構成を示す図である。
【発明を実施するための形態】
【００４０】
以下、本発明の一部の実施例を例示的な図面を参照して詳細に説明する。各図面の構成要素に参照符号を付加するにおいて、同一の構成要素に対しては、たとえ他の図面上に表示されても、可能な限り同一の符号を有するようにしていることに留意しなければならない。また、本発明の実施例を説明するにあたって、かかる公知の構成又は機能についての具体的な説明が本発明の実施例に対する理解を妨げると判断される場合には、その詳細な説明は省略する。
【００４１】
また、本発明の実施例の構成要素を説明するにあたって、第１、第２、Ａ、Ｂ、（ａ）、（ｂ）などの用語を使用することができる。このような用語は、その構成要素を他の構成要素と区別するためのものに過ぎず、その用語によって当該構成要素の本質や順番又は順序などが限定されるものではない。ある構成要素が他の構成要素に「連結」、「結合」又は「接続」されると記載された場合、その構成要素は、その他の構成要素に直接的に連結又は接続されてもよいが、各構成要素の間にまた他の構成要素が「連結」、「結合」又は「接続」されてもよいと理解されるべきである。
【００４２】
図１は、本発明の実施例に係る空気清浄機の外観を示す斜視図である。
【００４３】
図１を参照すると、本発明の実施例に係る空気清浄機１０には、空気流動を発生させる送風装置１００，２００、及び前記送風装置１００，２００から発生した空気流動の吐出方向を切り替える流動調節装置３００が含まれる。前記送風装置１００，２００には、第１空気流動を発生させる第１送風装置１００、及び第２空気流動を発生させる第２送風装置２００が含まれる。
【００４４】
前記第１送風装置１００と第２送風装置２００は上下方向に配列することができる。一例として、前記第２送風装置２００は、前記第１送風装置１００の上側に配置されてもよい。この場合、前記第１空気流動は、前記空気清浄機１０の下部側に存在する室内空気を吸い込む流動を形成し、前記第２空気流動は、前記空気清浄機１０の上部側に存在する室内空気を吸い込む流動を形成する。
【００４５】
前記空気清浄機１０には、外観を形成するケース１０１，２０１が含まれる。
【００４６】
詳しくは、前記ケース１０１，２０１には、前記第１送風装置１００の外観を形成する第１ケース１０１が含まれる。前記第１ケース１０１は円筒状を有することができる。そして、前記第１ケース１０１の上部は下部よりも小さい直径を有するように構成することができる。すなわち、前記第１ケース１０１は、先端部が切り取られた円錐形の形状を有することができる。
【００４７】
前記第１及び第２送風装置１００，２００は、清浄空間の空気を浄化させる機能を行う点から、それぞれ、「第１空気清浄モジュール１００」及び「第２空気清浄モジュール２００」と命名することができる。そして、前記第１送風装置１００は、前記空気清浄機１０の下部に配置される点から、「下部空気清浄モジュール」又は「下部モジュール」と命名することができ、前記第２送風装置２００は、前記空気清浄機１０の上部に配置される点から、「上部空気清浄モジュール」又は「上部モジュール」と命名することができる。そして、前記流動調節装置３００を流動調節モジュール３００と命名することができる。
【００４８】
前記第１ケース１０１には、前記第１ケース１０１を構成する２つのパートが結合又は分離される第１分離部１０１ａが含まれる。前記２つのパートのうちの少なくともいずれか一方のパートが分離されると、前記第１ケース１０１は開放され得る。前記第１ケース１０１を開放して、前記第１送風装置１００の内部部品を交換又は修理することができる。
【００４９】
前記第１ケース１０１には、半径方向に空気が吸い込まれる第１吸込部１０２が形成される。前記第１吸込部１０２は、前記第１ケース１０１の少なくとも一部分が貫通して形成される貫通孔を含む。前記第１吸込部１０２は多数個形成される。
【００５０】
前記多数の第１吸込部１０２は、前記第１ケース１０１を基準にしてどの方向からも空気の吸い込みが可能なように、前記第１ケース１０１の外周面に沿って円周方向に均一に形成される。すなわち、前記第１ケース１０１の内部中心を通る上下方向の中心線を基準として、３６０°方向から空気を吸い込むことができる。
【００５１】
このように、前記第１ケース１０１が円筒状に構成され、前記第１吸込部１０２が前記第１ケース１０１の外周面に沿って多数個形成されることによって、空気の吸込量が増加し得る。そして、従来の空気清浄機のケースのように、角部を有する六面体形状を回避することによって、吸い込まれる空気に対する流動抵抗を減少させることができるという効果が奏される。
【００５２】
前記第１吸込部１０２を介して吸い込まれる空気は、前記第１ケース１０１の外周面から略半径方向に流動することができる。方向を定義する。図１を基準として、上下方向を軸方向といい、横方向を半径方向という。前記軸方向は、後述する第１ファン１６０及び第２ファン２６０の中心軸方向、すなわち、ファンのモータ軸方向に対応することができる。そして、前記半径方向は、前記軸方向の垂直な方向として理解することができる。
【００５３】
そして、円周方向とは、前記軸方向を中心とし、前記半径方向の距離を回転半径として回転するときに形成される仮想の円方向として理解される。
【００５４】
前記第１送風装置１００には、前記第１ケース１０１の下側に提供され、地面に置かれるベース２０がさらに含まれる。前記ベース２０は、前記第１ケース１０１の下端部から下方に離隔して位置する。そして、前記第１ケース１０１と前記ベース２０との間の離隔空間には、ベース吸込部１０３が形成される。
【００５５】
前記ベース吸込部１０３を介して吸い込まれる空気は、前記ベース２０の上側に備えられる吸込グリル１１０（図２参照）の吸込口１１２を介して上方に流動することができる。
【００５６】
すなわち、前記第１送風装置１００には複数の吸込部１０２，１０３が含まれる。室内空間の下部に存在する空気は、前記複数の吸込部１０２，１０３を介して前記第１送風装置１００に容易に流入することができる。したがって、空気の吸込量が増加することができる。
【００５７】
前記第１送風装置１００の上部には第１吐出部１０５が形成される。前記第１吐出部１０５は、前記第１送風装置１００に備えられる第１吐出ガイド装置１９０（図２参照）の第１吐出グリル１９５に形成され得る。前記第１吐出ガイド装置１９０は、前記第１送風装置１００の上端部の外観を形成する。前記第１吐出部１０５を介して排出される空気は上方に流動することができる。
【００５８】
前記第２ケース２０１には、前記第２ケース２０１を構成する２つのパートが結合又は分離される第２分離部２０１ａが含まれる。前記２つのパートのうちの少なくともいずれか一方のパートが分離されると、前記第２ケース２０１は開放され得る。前記第２ケース２０１を開放して、前記第２送風装置２００の内部部品を交換又は修理することができる。
【００５９】
前記第２ケース２０１の下端部の直径は、前記第１ケース１０１の上端部の直径よりも小さく形成することができる。したがって、前記ケース１０１，２０１の全体的な形状の観点で、ケース１０１，２０１の下部断面積は上部断面積よりも大きく形成され、これによって、前記空気清浄機１０は地面に安定的に支持され得る。
【００６０】
前記第２ケース２０１には、空気が吸い込まれる第２吸込部２０２が形成される。前記第２吸込部２０２は、前記第２ケース２０１の少なくとも一部分が貫通して形成される貫通孔を含む。前記第２吸込部２０２は多数個形成される。
【００６１】
前記多数の第２吸込部２０２は、前記第２ケース２０１を基準にしてどの方向からも空気の吸い込みが可能なように、前記第２ケース２０１の外周面に沿って円周方向に均一に形成される。すなわち、前記第２ケース２０１の内部中心を通る上下方向の中心線を基準として、３６０°方向から空気を吸い込むことができる。
【００６２】
このように、前記第２ケース２０１が円筒状に構成され、前記第２吸込部２０２が前記第２ケース２０１の外周面に沿って多数個形成されることによって、空気の吸込量が増加し得る。そして、従来の空気清浄機のケースのように、角部を有する六面体形状を回避することによって、吸い込まれる空気に対する流動抵抗を減少させることができるという効果が奏される。
【００６３】
前記第２吸込部２０２を介して吸い込まれる空気は、前記第２ケース２０１の外周面から略半径方向に流動することができる。
【００６４】
前記空気清浄機１０には、前記第１送風装置１００と前記第２送風装置２００との間に備えられる仕切り装置４００が含まれる。前記仕切り装置４００には、前記第１送風装置１００から発生する空気流動と、前記第２送風装置２００から発生する空気流動とを分離又は遮断するための仕切り板４３０が含まれる。前記仕切り板４３０によって、前記第１及び第２送風装置１００，２００は上下方向に離隔して配置され得る。
【００６５】
前記流動調節装置３００は、前記第２送風装置２００の上側に設置することができる。空気流動を基準として、前記第２送風装置２００の空気流路は、前記流動調節装置３００の空気流路に連通することができる。前記第２送風装置２００を通過した空気は、前記流動調節装置３００の空気流路を経由し、第２吐出部３０５を介して外部に排出され得る。前記第２吐出部３０５は、前記流動調節装置３００の上端部に形成される。
【００６６】
前記流動調節装置３００は動き可能に備えることができる。詳細には、前記流動調節装置３００は、図１及び図１７に示されるように、横になっている状態（第１位置）にあるか、または図１８に示されるように、傾斜して立てられた状態（第２位置）にあってもよい。
【００６７】
そして、前記流動調節装置３００の上部には、空気清浄機１０の運転情報を表示するディスプレイ装置６００が備えられる。前記ディスプレイ装置６００は、前記流動調節装置３００と共に動くことができる。
【００６８】
図２は、本発明の実施例に係る空気清浄機の内部構成を示す斜視図であり、図３は、図２のＩＩＩ−ＩＩＩ’に沿って切断した断面図であり、図４は、本発明の実施例に係る第１送風装置の構成を示す分解斜視図である。
【００６９】
図２及び図３を参照すると、本発明の実施例に係る第１送風装置１００には、ベース２０、及び前記ベース２０の上側に配置される吸込グリル１１０が含まれる。
【００７０】
前記ベース２０には、地面に置かれ、前記吸込グリル１１０を支持するグリル支持部２１ａを有するベース本体２１が含まれる。前記グリル支持部２１ａは略円形の形状を有し、前記吸込グリル１１０の下部突出部１１６は前記グリル支持部２１ａの内側に支持され得る。
【００７１】
前記ベース本体２１と前記吸込グリル１１０は互いに結合された状態で、離隔するように配置される。前記ベース２０と前記吸込グリル１１０との間には、空気の吸込空間を形成するベース吸込部１０３が形成される。
【００７２】
前記第１送風装置１００には、前記吸込グリル１１０の上側に備えられ、使用者が操作可能なレバー装置１４２が備えられる。前記レバー装置１４２は、円周方向に回転可能なように備えることができる。前記レバー本体１４３の外周面にはハンドル１４４（図５参照）が備えられる。
【００７３】
前記レバー装置１４２の上側には、前記第１フィルター部材１２０を支持する支持装置１４０が提供される。前記レバー装置１４２は前記支持装置１４０の下面を支持する。前記支持装置１４０は、下部フレーム１３１の内側に配置されて前記第１フィルター部材１２０の下側を支持し、多数の第１フィルター支持部１３５は、前記支持装置１４０の周りに沿って配列される。
【００７４】
前記支持装置１４０の上側には、前記第１吸込部１０２又は前記ベース吸込部１０３を介して吸い込まれた空気中の異物をろ過するための第１フィルター部材１２０が備えられる。前記第１フィルター部材１２０は、上部が開口した円筒形状を有し、前記第１フィルター部材１２０の外周面を介して空気が流入することができる。前記第１フィルター部材１２０を通過する過程で、空気中の微細塵埃のような不純物がろ過され得る。
【００７５】
前記第１フィルター部材１２０が円筒形状を有することによって、前記第１フィルター部材１２０を基準として、どの方向からも空気の流入が可能である。したがって、空気のフィルタリング面積が増加し得る。
【００７６】
詳細には、前記第１フィルター部材１２０には、中空の円筒形状のフィルター部を有するフィルター本体１２１，１２５、及び前記フィルター本体１２１，１２５の上端部に開口して形成されるフィルター孔１２２が含まれる。前記フィルター本体１２１，１２５には、第１フィルター部１２１及び第２フィルター部１２５が含まれる（図７参照）。
【００７７】
前記第１フィルター部材１２０には、前記フィルター本体１２１，１２５の上部又は下部に備えられるフィルター取っ手１２０ａがさらに含まれる。空気は、前記フィルター本体１２１，１２５の外周面を介して前記フィルター本体１２１，１２５の内側に流入し、前記フィルター孔１２２を介して前記第１フィルター部材１２０から排出され得る。
【００７８】
前記第１送風装置１００には、前記第１フィルター部材１２０の装着空間を形成する第１フィルターフレーム１３０がさらに含まれる。詳細には、前記第１フィルターフレーム１３０には、前記第１フィルターフレーム１３０の下部を形成する下部フレーム１３１、及び前記第１フィルターフレーム１３０の上部を形成する上部フレーム１３２が含まれる。
【００７９】
前記下部フレーム１３１は、前記第１フィルター部材１２０の下部を取り囲むようにリング形状を有することができる。そして、前記下部フレーム１３１には、前記第１ケース１０１の係止突起（図示せず）が結合される係止部１３１ｂが形成される。前記係止部１３１ｂは、第１フィルター支持部１３５の外側に形成することができる。
【００８０】
前記上部フレーム１３２は、前記第１フィルター部材１２０の上部を取り囲むようにリング形状を有することができる。前記上部フレーム１３２は、前記下部フレーム１３１から上方に離隔して位置する。
【００８１】
前記上部フレーム１３２のリング状の内部空間はフレーム開口部１３２ａを形成する。前記フレーム開口部１３２ａは、前記第１フィルター部材１２０のフィルター孔１２２に連通するように構成することができる。すなわち、前記フレーム開口部１３２ａは、前記第１フィルターフレーム１３０を通過する空気流路の少なくとも一部分を形成し、前記第１フィルター部材１２０のフィルター孔１２２を介して排出された空気は、前記フレーム開口部１３２ａを介して第１ファンハウジング１５０に流入することができる。すなわち、前記第１フィルター部材１２０は第１ファン１６０の吸込側に設置され得る。
【００８２】
前記上部フレーム１３２の上部は第１ファンハウジング１５０を支持することができる。前記第１ファンハウジング１５０の下部には、前記第１ファンハウジング１５０の内部へ空気の流入をガイドする第１ファン流入部１５６が形成される。前記第１ファン流入部１５６には、前記フレーム開口部１３２ａと連通するファン流入孔１５６ａが形成される。
【００８３】
言い換えれば、前記第１ファンハウジング１５０は、前記上部フレーム１３２の上側に結合され、前記ファン流入孔１５６ａと前記フレーム開口部１３２ａは上下方向に整列する。このような構成によれば、前記フレーム開口部１３２ａを通過した空気は、前記ファン流入孔１５６ａを介して前記第１ファンハウジング１５０の内部に流入することができ、前記第１ファンハウジング１５０の外側に漏れることを防止することができる。
【００８４】
そして、前記第１ファン流入部１５６にはグリルが提供されることで、前記第１フィルター部材１２０が分離されたとき、使用者が前記第１ファンハウジング１５０の内部に指などを入れることを防止することができる。
【００８５】
前記第１フィルターフレーム１３０には、前記下部フレーム１３１から前記上部フレーム１３２に向かって上方に延びる第１フィルター支持部１３５がさらに含まれる。前記第１フィルター支持部１３５によって、前記第１及び第２フレーム１３１，１３２は互いに離隔し得る。前記第１フィルター支持部１３５は多数個提供され、前記多数個の第１フィルター支持部１３５は、円周方向に配列されて前記第１及び第２フレーム１３１，１３２の周縁部に連結され得る。
【００８６】
前記第１及び第２フレーム１３１，１３２及び前記多数の第１フィルター支持部１３５によって、前記第１フィルター部材１２０の装着空間１３０ａ（図１１参照）が定義される。
【００８７】
一方、前記第１フィルター支持部１３５の外側にはフレームカバー１３６を結合することができる。前記フレームカバー１３６は、前記第１フィルター支持部１３５の支持力を補強する機能を行うことができる。そして、前記第１フィルター支持部１３５と前記フレームカバー１３６との間には、電線が位置する電線空間部を形成することができる。前記電線は、ファンモータ１６５，２６５，３３５、ＰＣＢ装置５００またはディスプレイ装置６００などを接続する電気線を含む。
【００８８】
前記第１フィルターフレーム１３０にはセンサ装置１３７を設置することができる。前記センサ装置１３７には、空気中の塵埃の量を感知する塵埃センサ１３７ａ、及び空気中のガスの量を感知するガスセンサ１３７ｂが含まれ得る。そして、前記センサ装置１３７には、前記塵埃センサ１３７ａ及びガスセンサ１３７ｂを遮蔽するセンサカバー１３７ｃがさらに含まれる。
【００８９】
前記塵埃センサ１３７ａ及びガスセンサ１３７ｂは、前記第１フィルターフレーム１３０の上部フレーム１３２に支持されるように配置することができる。前記上部フレーム１３２には、前記センサ装置１３７を設置できるセンサ装着部１３８を備えることができる。前記センサ装着部１３８は、前記上部フレーム１３２の外周面から突出するように備えることができる。
【００９０】
前記第１送風装置１００には、空気中の臭い粒子を除去又は殺菌するためのイオナイザ１５８がさらに含まれる。前記イオナイザ１５８は、前記第１ファンハウジング１５０に結合され、前記第１ファンハウジング１５０の内部を流動する空気に作用することができる。
【００９１】
前記センサ装置１３７及び前記イオナイザ１５８は、後述する第２送風装置２００にも設置することができる。他の例として、前記センサ装置１３７及び前記イオナイザ１５８は、前記第１送風装置１００及び第２送風装置２００のうちの１つの送風装置に設置されてもよい。
【００９２】
前記第１ファン１６０は、前記第１ファン流入部１５６の上側に載置され、前記第１ファンハウジング１５０のハウジング空間部１５０ａに収容され得る。一例として、前記第１ファン１６０には、軸方向に空気を流入して半径方向上側に空気を排出させる遠心ファンが含まれる。
【００９３】
詳細には、前記第１ファン１６０には、遠心ファンモータである第１ファンモータ１６５の回転軸１６５ａが結合されるハブ１６１、前記ハブ１６１と離隔して配置されるシュラウド１６２、及び前記ハブ１６１と前記シュラウド１６２との間に配置される多数のブレード１６３が含まれる。前記第１ファンモータ１６５は前記第１ファン１６０の上側に結合され得る。
【００９４】
前記第１送風装置１００には、前記第１ファン１６０の上側に結合されて前記第１ファン１６０を通過した空気の流動をガイドする第１エアガイド装置１７０がさらに含まれる。
【００９５】
前記第１エアガイド装置１７０には、円筒状の形状を有する外壁１７１、及び前記外壁１７１の内側に位置し、円筒状の形状を有する内壁１７２が含まれる。前記外壁１７１は、前記内壁１７２を取り囲むように配置される。前記外壁１７１の内周面と、前記内壁１７２の外周面との間には、空気が流動する第１空気流路１７２ａが形成される。
【００９６】
前記第１エアガイド装置１７０には、前記第１空気流路１７２ａに配置されるガイドリブ１７５が含まれる。前記ガイドリブ１７５は、前記内壁１７２の外周面から前記外壁１７１の内周面に延びる。前記ガイドリブ１７５は、多数個が離隔して配置されてもよい。前記多数のガイドリブ１７５は、前記第１ファン１６０を経て前記第１エアガイド装置１７０の第１空気流路１７２ａに流入した空気を上方に案内する機能を行う。
【００９７】
前記ガイドリブ１７５は、前記外壁１７１及び内壁１７２の下部から上方に向かって傾斜して延びることができる。一例として、前記ガイドリブ１７５は、ラウンド状に形成されて、空気が上方に傾斜して流動できるようにガイドする。
【００９８】
前記第１エアガイド装置１７０には、前記内壁１７２から下方に延びて前記第１ファンモータ１６５を収容するモータ収容部１７３がさらに含まれる。前記モータ収容部１７３は、下部に行くほど直径が小さくなるボウル（ｂｏｗｌ）形状を有することができる。前記モータ収容部１７３の形状は、前記ハブ１６１の形状に対応することができる。そして、前記モータ収容部１７３は前記ハブ１６１の内側に挿入され得る。
【００９９】
前記第１ファンモータ１６５は、前記モータ収容部１７３の上側に支持され得る。そして、前記第１ファンモータ１６５の回転軸１６５ａは、前記第１ファンモータ１６５から下方に延び、前記モータ収容部１７３の底面部を貫通して前記ハブ１６１の軸結合部１６１ａに結合され得る。
【０１００】
そして、前記第１ファンモータ１６５の上側にはモータ結合部１６６が備えられ、前記モータ結合部１６６は、前記第１ファンモータ１６５を前記第１エアガイド装置１７０に固定されるようにガイドする。
【０１０１】
前記第１送風装置１００には、前記第１エアガイド装置１７０の上側に結合され、前記第１エアガイド装置１７０を通過した空気を第１吐出ガイド装置１９０にガイドする第２エアガイド装置１８０がさらに含まれる。前記第２エアガイド装置１８０には、略円筒状の形状を有する第１ガイド壁１８１、及び前記第１ガイド壁１８１の内側に位置し、略円筒状の形状を有する第２ガイド壁１８２が含まれる。前記第１ガイド壁１８１は、前記第２ガイド壁１８２を取り囲むように配置することができる。前記第１ガイド壁１８１の内周面と前記第２ガイド壁１８２の外周面との間には、空気が流動する第２空気流路が形成される。
【０１０２】
円筒状の形状を有する第２ガイド壁１８２の内側には、空気清浄機１０の運転を制御するＰＣＢ装置５００が装着され得る。
【０１０３】
前記第２送風装置２００には、第２フィルター部材２２０、第２フィルターフレーム２３０、第２ファンハウジング２５０、第２ファン２６０、及び第２ファンモータ２６５が含まれる。これらの構成は、第１送風装置１００に備えられる第１フィルター部材１２０、第１フィルターフレーム１３０、第１ファンハウジング１５０、第１ファン１６０、及び第１ファンモータ１６５と類似しているので、これらに関する説明は、第１送風装置１００に関する説明を援用する。
【０１０４】
そして、前記第２送風装置２００には、前記第２送風装置２００の第２フィルター部材２２０を支持するレバー支持装置５６０がさらに含まれる。前記レバー支持装置５６０の上側には、第１送風装置１００に備えられる支持装置１４０及びレバー装置１４２が備えられ得る。これらの支持装置１４０及びレバー装置１４２に関する説明は、第２送風装置２００にも同一に適用することができる。
【０１０５】
前記第２送風装置２００には、前記第２ファン２６０の上側に結合され、前記第２ファン２６０を通過した空気の流動をガイドする第３エアガイド装置２７０がさらに含まれる。前記第３エアガイド装置２７０は、前記第１エアガイド装置１７０の構成と類似しているので、前記第１エアガイド装置１７０の説明を援用する。
【０１０６】
前記第２送風装置２００には、前記第３エアガイド装置２７０の上側に設置され、前記第３エアガイド装置２７０を通過した空気の流動をガイドする第２吐出ガイド装置２８０が備えられる。
【０１０７】
前記第２吐出ガイド装置２８０の上側には、前記流動調節装置３００が動き可能に提供される。前記流動調節装置３００には第３ファン３３０が含まれる。前記第３ファン３３０は、前記第３エアガイド装置２７０を通過した空気が空気清浄機１０の外部に排出され得るようにガイドする。前記第３ファン３３０には第３ファンモータ３３５を結合することができる。
【０１０８】
第３ファン３３０には軸流ファンが含まれ得る。詳細には、前記第３ファン３３０は、前記第３エアガイド装置２７０を通過して軸方向に流入した空気を軸方向に排出させるように作動することができる。前記第３ファン３３０を通過した空気は、前記第３ファン３３０の上側に位置する第２吐出部３０５を介して外部に排出され得る。
【０１０９】
前記空気清浄機１０には、前記第１送風装置１００の第１吐出部１０５と共に前記第２吐出部３０５が備えられるので、吐出風量が改善され、様々な方向に空気が吐出される効果が奏される。
【０１１０】
前記空気清浄機１０の上面には、前記空気清浄機１０の運転情報が表示されるディスプレイ装置６００を備えることができる。
【０１１１】
前記第１ファンモータ１６５及び第２ファンモータ２６５は、前記空気清浄機１０の縦方向を基準として一列に配置することができる。そして、前記第２ファンモータ２６５及び前記第３ファンモータ３３５は、前記空気清浄機１０の縦方向を基準として一列に配置することができる。すなわち、前記第１ファン１６０、第２ファン２６０及び第３ファン３３０は同一軸線上に配置することができる。
【０１１２】
前記流動調節装置３００には、前記流動調節装置３００の左右方向への回転及び上下方向への回転をガイドする回転ガイド装置がさらに含まれる。前記左右方向への回転を「第１方向回転」と呼び、前記上下方向への回転を「第２方向回転」と呼ぶことができる。
【０１１３】
前記回転ガイド装置には、前記流動調節装置３００の第１方向回転をガイドするための第１ガイド機構、及び前記流動調節装置３００の第２方向回転をガイドするための第２ガイド機構が含まれる。
【０１１４】
前記第１ガイド機構には、駆動力を発生させる第１ギアモータ３６３、及び前記第１ギアモータ３６３に結合されて回転できる第１ギア３６０が含まれる。一例として、前記第１ギアモータ３６３には、回転角度の制御が容易なステップモータ（ｓｔｅｐ  ｍｏｔｏｒ）が含まれてもよい。
【０１１５】
前記第２ガイド機構には、前記流動調節装置３００の第２方向回転をガイドする回転ガイド部材３７０（図１８参照）が含まれる。前記回転ガイド部材３７０にはラック３７４が含まれる。
【０１１６】
前記第２ガイド機構には、駆動力を発生させる第２ギアモータ３６７、及び前記第２ギアモータ３６７に結合される第２ギア３６５が含まれ得る。一例として、前記第２ギアモータ３６７にはステップモータが含まれてもよい。前記第２ギアモータ３６７が駆動すると、前記第２ギア３６５と前記第２ラック３７４の連動によって、前記回転ガイド部材３７０は上下方向に回転する動きを有することができる。したがって、前記流動調節装置３００は、前記回転ガイド部材３７０の動きに従って第２方向回転を行うことができる。
【０１１７】
前記流動調節装置３００が第２方向に回転すると、前記空気清浄機１０の上面から突出した「第２位置」にあり得る（図１８参照）。一方、図１及び図１７に示されるように、前記流動調節装置３００が横になっている位置を「第１位置」と命名することができる。
【０１１８】
図５は、本発明の実施例に係るフィルター部材の下側に備えられる部品の構成を示す分解斜視図であり、図６は、本発明の実施例に係る支持装置の構成を示す底面斜視図である。
【０１１９】
図５を参照すると、本発明の実施例に係る第１送風装置１００には、ベース２０、吸込グリル１１０、レバー装置１４２、及び支持装置１４０が含まれる。
【０１２０】
前記ベース２０には、略円板形状のベース本体２１が含まれる。前記ベース本体２１には、前記吸込グリル１１０の下部突出部１１６を支持するグリル支持部２１ａが含まれる。前記下部突出部１１６は、前記吸込グリル１１０の底面から下方に突出して前記グリル支持部２１ａの内側に支持され得る。
【０１２１】
前記ベース２０には、前記吸込グリル１１０に締結されるグリル締結部２３がさらに含まれる。前記グリル締結部２３は、所定の締結部材によって前記吸込グリル１１０のベース締結部１１１ｂに結合され得る。前記グリル締結部２３は多数個備えることができる。一例として、図示のように、前記グリル締結部２３は、前記ベース本体２１の周縁部に４個備えられてもよい。
【０１２２】
前記ベース２０には、前記支持装置１４０に結合される支持結合部２２がさらに含まれる。前記支持結合部２２は、前記ベース本体２１の概ね中央部に突出するように構成され、締結部材２５が結合される。前記支持結合部２２及び締結部材２５は、前記支持装置１４０の部材挿入部１４１ａを支持し、前記支持装置１４０の移動をガイドすることができる。
【０１２３】
前記支持装置１４０は、上方又は下方に移動可能に備えることができる。前記締結部材２５は、前記支持装置１４０が設定距離だけ上方に移動した状態で、これ以上の上方移動を制限するストッパーとして機能することができる。前記支持装置１４０が上方に移動した状態で、前記第１フィルター部材１２０は、前記装着空間１３０ａに結合された状態（第１のフィルター位置）にあるようになる。一方、前記支持装置１４０が下方に移動した状態で、前記第１フィルター部材１２０は、前記装着空間１３０ａから分離可能な解除状態（第２のフィルター位置）にあるようになる。
【０１２４】
前記吸込グリル１１０は前記ベース２０の上側に固定される。詳細には、前記吸込グリル１１０には、略リング状のグリル本体１１１、及び前記グリル本体１１１の外側に備えられる枠部１１１ａが含まれる。前記枠部１１１ａには、前記ベース吸込部１０３を介して吸い込まれた空気が通過するグリル吸込部１１２が備えられる。前記グリル吸込部１１２は、前記枠部１１１ａの周縁に沿って形成される。
【０１２５】
前記グリル吸込部１１２を介して吸い込まれた空気は、上方に移動して前記第１フィルター部材１２０を通過することができる。前記第１フィルター部材１２０は円筒状に備えられ、空気をろ過するフィルター面を有することができる。前記グリル吸込部１１２を通過した空気は、円筒状の第１フィルター部材１２０の外周面を貫通してその内部に流入することができる。
【０１２６】
前記第１ケース１０１は、前記グリル吸込部１１２の上部に支持され得る。したがって、前記グリル吸込部１１２を介して吸い込まれた空気は、前記第１吸込部１０２を介して吸い込まれた空気と合流して、前記第１フィルター部材１２０を通過することができる。
【０１２７】
前記吸込グリル１１０には、前記レバー装置１４２の回転をガイドするガイド突起１１３ａがさらに含まれる。前記ガイド突起１１３ａは、前記グリル本体１１１の上面から上方に突出するように構成され、前記レバー装置１４２の突起貫通部１４５に挿入されるように配置され得る。前記レバー装置１４２が回転する過程で、前記ガイド突起１１３ａは前記突起貫通部１４５の内部で移動することができる。前記突起貫通部１４５は、円周方向に離隔して多数個備えられてもよい。
【０１２８】
前記吸込グリル１１０には、前記レバー装置１４２の底面を支持するレバー支持部１１３ｂがさらに含まれる。前記レバー支持部１１３ｂは、円周方向に離隔して多数個備えられてもよい。前記レバー装置１４２は、前記レバー支持部１１３ｂに装着された状態で安定的に回転することができる。
【０１２９】
前記吸込グリル１１０には、前記グリル本体１１１から下方に凹んで前記レバー装置１４２の装着位置をガイドする溝部１１５が形成される。前記吸込グリル１１０の上側に前記レバー装置１４２が装着されるとき、前記レバー装置１４２のハンドル１４４は、前記溝部１１５の上側に位置するように配置され、このとき、前記レバー装置１４２は「装着基準位置」にあるようになる。
【０１３０】
前記レバー装置１４２には、略リング形状を有し、回転可能に備えられるレバー本体１４３が含まれる。
【０１３１】
前記レバー装置１４２には、前記レバー本体１４３の上面から上方に突出して前記第１フィルター部材１２０の上方又は下方への移動をガイドする移動ガイド部１４３ａがさらに含まれる。前記移動ガイド部１４３ａは、前記レバー本体１４３の上面から円周方向に次第に突出する形状を有するように構成することができる。すなわち、前記移動ガイド部１４３ａには、円周方向に次第に突出する傾斜面１４６が含まれ得る。
【０１３２】
前記移動ガイド部１４３ａは、円周方向に離隔して多数個提供されてもよい。一例として、図示のように、前記移動ガイド部１４３ａは４個提供することができる。但し、前記移動ガイド部１４３ａの個数はこれに制限されない。
【０１３３】
前記レバー装置１４２には、前記吸込グリル１１０のガイド突起１１３ａが挿入される突起貫通部１４５が形成される。前記突起貫通部１４５は、前記レバー本体１４３の少なくとも一部分を貫通して形成することができる。そして、前記突起貫通部１４５は、前記レバー本体１４３の外周面又は内周面の曲率に対応して、円周方向に所定の曲率を有するようにラウンド状に形成することができる。
【０１３４】
そして、前記突起貫通部１４５は、互いに離隔して多数個備えられ、前記レバー本体１４３の円周方向に配列することができる。前記突起貫通部１４５は、前記ガイド突起１１３ａの数に対応する数だけ備えることができる。一例として、図示のように、前記突起貫通部１４５は、円周方向に４個備えることができる。
【０１３５】
前記ガイド突起１１３ａは、前記レバー本体１４３の下側から前記突起貫通部１４５を貫通して前記レバー本体１４３の上側に延びることができる。そして、前記レバー装置１４２が回転する過程で、前記ガイド突起１１３ａは前記突起貫通部１４５の内部で移動することができる。
【０１３６】
詳細には、突起貫通部１４５には、第１端部１４７ａ及び第２端部１４７ｂが含まれる。前記突起貫通部１４５は、前記第１端部１４７ａから前記第２端部１４７ｂまで延びる貫通孔として理解できる。
【０１３７】
前記レバー装置１４２が「フィルター解除位置」にあるとき、前記ガイド突起１１３ａは、前記突起貫通部１４５の第１端部１４７ａに係止される位置にあり得る。前記「フィルター解除位置」とは、前記支持装置１４０が下方に下降するようにガイドする位置であって、前記第１フィルター部材１２０を前記装着空間１３０ａから分離できる位置であるものと理解される。
【０１３８】
反面、前記レバー装置１４２が「フィルター装着位置」にあるとき、前記ガイド突起１１３ａは、前記突起貫通部１４５の第２端部１４７ｂに係止される位置にあり得る。前記「フィルター装着位置」とは、前記支持装置１４０が上方に上昇するようにガイドする位置であって、前記第１フィルター部材１２０が前記装着空間１３０ａに結合された位置であるものと理解される。
【０１３９】
前記レバー装置１４２が回転する過程において、前記ガイド突起１１３ａは、前記第１端部１４７ａから前記第２端部１４７ｂまで移動することができる。すなわち、前記ガイド突起１１３ａは、前記吸込グリル１１０に固定された構成であるが、前記レバー装置１４２が回転するときに前記突起貫通部１４５の内部で相対的な動きを有し得る。
【０１４０】
前記レバー装置１４２には、前記レバー本体１４３の内周面から半径方向内側に延びる支持板１４３ｂがさらに含まれる。前記支持板１４３ｂは、前記支持装置１４０の底面を支持することができる。前記支持板１４３ｂは、前記レバー本体１４３の両側に複数個備えることができる。
【０１４１】
前記レバー装置１４２の外周面には、前記レバー装置１４２の回転のために使用者の操作が可能なハンドル１４４がさらに含まれる。使用者は前記ハンドル１４４を操作して、前記レバー装置１４２を時計方向又は反時計方向に回転させることができる。
【０１４２】
前記支持装置１４０は、前記レバー装置１４２の上側に動き可能に支持され得る。詳細には、前記レバー装置１４２が回転するとき、前記支持装置１４０は、前記レバー装置１４２と干渉して上方又は下方への動きを行う。
【０１４３】
前記支持装置１４０が上方に移動したとき、前記支持装置１４０は、前記第１フィルター部材１２０を押し上げて、前記第１フィルター部材１２０が前記第１フィルターフレーム１３０に支持された状態にあるようにする。反面、前記支持装置１４０が下方に移動したとき、前記支持装置１４０は、前記第１フィルター部材１２０を下方に下降させて、前記第１フィルター部材１２０が前記第１フィルターフレーム１３０から分離可能な位置にあるようにする。
【０１４４】
前記支持装置１４０には、略円板形状の支持本体１４０ａが含まれる。前記支持本体１４０ａには、前記第１フィルター部材１２０を支持するフィルター支持面を有する。前記支持装置１４０には、前記支持本体１４０ａの概ね中央部に備えられ、前記締結部材２５が挿入される部材挿入部１４１ａが含まれる。前記部材挿入部１４１ａは、上下貫通する貫通孔として理解される。
【０１４５】
前記締結部材２５は、前記支持装置１４０の上側から前記部材挿入部１４１ａに挿入されて下方に延び、前記ベース２０の支持結合部２２に結合され得る。前記締結部材２５によって、前記支持装置１４０は、左右に揺れずに、前記ベース２０、吸込グリル１１０及びレバー装置１４２に対して中心が揃えられた状態で上方又は下方に移動することができる。一例として、前記締結部材２５にはスクリュー（ｓｃｒｅｗ）が含まれてもよい。
【０１４６】
前記支持装置１４０には、前記移動ガイド部１４３ａと接触する支持突出部１４１ｂを備えることができる。前記支持突出部は、前記支持本体１４０ａの底面から下方に突出し、前記移動ガイド部１４３ａに対応する位置に多数個備えることができる。そして、前記支持突出部１４１ｂの形状は、前記移動ガイド部１４３ａの形状に対応し、円周方向に次第に突出するように形成される傾斜面が含まれる。
【０１４７】
前記移動ガイド部１４３ａが次第に突出するように形成される方向と、前記支持突出部１４１ｂが次第に突出するように形成される方向とは互いに反対であり得る。一例として、前記移動ガイド部１４３ａが次第に突出するように構成される方向が反時計方向であれば、前記支持突出部１４１ｂが次第に突出するように構成される方向は時計方向であり得る。反対に、前記移動ガイド部１４３ａが次第に突出するように構成される方向が時計方向であれば、前記支持突出部１４１ｂが次第に突出するように構成される方向は反時計方向であり得る。
【０１４８】
前記レバー装置１４２が回転する過程において、前記移動ガイド部１４３ａと前記支持突出部１４１ｂとは干渉し、この過程で前記支持装置１４０は上方又は下方への動きを行うことができる。
【０１４９】
詳細には、前記レバー装置１４２が一位置にあるとき、前記支持突出部１４１ｂの下部と前記移動ガイド部１４３ａの上部とが当接すると、前記支持装置１４０は上方に持ち上げられる。そして、前記支持装置１４０によって支持される第１フィルター部材１２０は、上方に移動しながら前記第１送風装置１００に結合された状態にあるようになる。
【０１５０】
反面、前記レバー装置１４２が回転して他位置にあるとき、前記支持突出部１４１ｂの上部と前記移動ガイド部１４３ａの下部とが当接するか、または前記支持突出部と移動ガイド部１４３ａとの干渉が解除されると、前記支持装置１４０は下方に下降する。そして、前記支持装置１４０によって支持される第１フィルター部材１２０は、前記第１送風装置１００から分離可能な状態（解除状態）にあるようになる。
【０１５１】
図７は、本発明の実施例に係るフィルター部材の構成を示す分解斜視図であり、図８は、本発明の実施例に係るフィルター部材の構成を示す断面図であり、図９は、図８の「Ａ」部分を拡大した図であり、図１０は、図８の「Ｂ」部分を拡大した図である。
【０１５２】
図７乃至図１０を参照すると、本発明の実施例に係る第１フィルター部材１２０には、第１フィルター部１２１及び第２フィルター部１２５が含まれる。前記第２フィルター部１２５は、前記第１フィルター部１２１の内側に挿入されるように配置することができる。
【０１５３】
前記第１フィルター部１２１は、空気中の微細塵埃やウイルスのような微生物をろ過する「異物除去フィルター」として理解される。一例として、前記第１フィルター部１２１にはＨＥＰＡフィルタ（ＨＥＰＡ  ＦＩＬＴＥＲ）が含まれてもよい。
【０１５４】
詳細には、前記第１フィルター部１２１は、中空の円筒形状を有する第１フィルター本体１２１ａ、及び前記第１フィルター本体１２１ａを支持する固定フレーム１２２ａ，１２２ｂが含まれる。前記第１フィルター本体１２１ａは、異物をろ過するためのフィルター面を提供する。
【０１５５】
前記固定フレーム１２２ａ，１２２ｂには、前記第１フィルター本体１２１ａの上部を支持する第１固定フレーム１２２ａ、及び前記第１フィルター本体１２１ａの下部を支持する第２固定フレーム１２２ｂが含まれる。
【０１５６】
前記第１固定フレーム１２２ａには、前記第１フィルター本体１２１ａの上部外周面を支持する第１外面支持部１２２ｃ、及び前記第１フィルター本体１２１ａの上部内周面を支持する第１内面支持部１２２ｄが含まれる。すなわち、前記第１固定フレーム１２２ａは、前記第１外面支持部１２２ｃ及び前記第１内面支持部１２２ｄによって、前記第１フィルター本体１２１ａの上面、上部外周面、及び上部内周面に結合され得る。
【０１５７】
前記第２固定フレーム１２２ｂには、前記第１フィルター本体１２１ａの下部外周面を支持する第１外面支持部１２２ｃ、及び前記第１フィルター本体１２１ａの下部内周面を支持する第１内面支持部１２２ｄが含まれる。すなわち、前記第２固定フレーム１２２ｂは、前記第１外面支持部１２２ｃ及び前記第１内面支持部１２２ｄによって、前記第１フィルター本体１２１ａの下面、下部外周面、及び下部内周面に結合され得る。
【０１５８】
このような第１及び第２固定フレーム１２２ａ，１２２ｂの構成によって、前記第１フィルター部１２１は円筒状の形状を安定的に維持することができる。
【０１５９】
前記第１フィルター部１２１には、使用者が把持できるフィルター取っ手１２０ａがさらに含まれる。前記フィルター取っ手１２０ａは、前記第１固定フレーム１２２ａ及び第２固定フレーム１２２ｂのうちの少なくとも一方の固定フレームに備えることができる。前記フィルター取っ手１２０ａは、前記第１固定フレーム１２２ａ又は前記第２固定フレーム１２２ｂの外周面から半径方向に突出するように備えることができる。
【０１６０】
前記第２フィルター部１２５は、空気中の臭い粒子をろ過する「脱臭フィルター」として理解される。詳細には、前記第２フィルター部１２５は、中空の円筒形状を有する第２フィルター本体１２５ａ、及び前記第２フィルター本体１２５ａを支持する固定フレーム１２６ａ，１２６ｂが含まれる。前記第２フィルター本体１２５ａは、異物をろ過するためのフィルター面を提供する。
【０１６１】
前記固定フレーム１２６ａ，１２６ｂには、前記第２フィルター本体１２５ａの上部を支持する第３固定フレーム１２６ａ、及び前記第２フィルター本体１２５ａの下部を支持する第４固定フレーム１２６ｂが含まれる。
【０１６２】
前記第３固定フレーム１２６ａには、前記第２フィルター本体１２５ａの上部外周面を支持する第２外面支持部１２６ｃ、及び前記第２フィルター本体１２５ａの上部内周面を支持する第２内面支持部１２６ｄが含まれる。すなわち、前記第３固定フレーム１２６ａは、前記第２外面支持部１２６ｃ及び前記第２内面支持部１２６ｄによって、前記第２フィルター本体１２５ａの上面、上部外周面、及び上部内周面に結合され得る。
【０１６３】
前記第３固定フレーム１２６ａには、前記第１固定フレーム１２２ａの上側に係止される係止段部１２６ｅがさらに含まれる。前記第２フィルター部１２５が前記第１フィルター部１２１の内側に挿入されると、前記係止段部１２６ｅは前記第１固定フレーム１２２ａの上面に支持され得る。これによって、前記第２フィルター部１２５は前記第１フィルター部１２１に安定的に支持され得る。
【０１６４】
前記第４固定フレーム１２６ｂには、前記第２フィルター本体１２５ａの下部外周面を支持する第２外面支持部１２６ｃ、及び前記第２フィルター本体１２５ａの下部内周面を支持する第２内面支持部１２６ｄが含まれる。すなわち、前記第４固定フレーム１２６ｂは、前記第２外面支持部１２６ｃ及び前記第２内面支持部１２６ｄによって、前記第２フィルター本体１２５ａの下面、下部外周面、及び下部内周面に結合され得る。このような第３及び第４固定フレーム１２６ａ，１２６ｂの構成によって、前記第２フィルター部１２５は円筒状の形状を安定的に維持することができる。
【０１６５】
前記第２固定フレーム１２２ｂには、前記第４固定フレーム１２６ｂの下側を支持するフレーム支持部１２２ｅがさらに含まれる。すなわち、前記第２固定フレーム１２２ｂは、前記第１フィルター部１２１の下側から前記第２フィルター部１２５の下側まで半径方向内側に延び、前記第２フィルター部１２５の下側に位置する部分は前記フレーム支持部１２２ｅを形成する。これによって、前記第２フィルター部１２５は前記第１フィルター部１２１に安定的に支持され得る。
【０１６６】
前記第１吸込部１０２又は前記ベース吸込部１０３を介して前記第１フィルター部材１２０の外周面側に流動した空気は、前記第１フィルター部１２１及び前記第２フィルター部１２５を順に通過しながら浄化され得る。
【０１６７】
前記第２フィルター部１２５の上部には前記フィルター孔１２２が形成される。前記第１フィルター部材１２０を通過した空気は、前記フィルター孔１２２を介して上方に流動し、前記第１ファン１６０に流入することができる。
【０１６８】
図１１は、本発明の実施例に係るフィルターフレームの構成を示す図であり、図１２は、本発明の実施例に係るファンハウジングの構成を示す斜視図であり、図１３は、本発明の実施例に係るフィルターフレームの構成を示す概略図である。
【０１６９】
図１１乃至図１３を参照すると、本発明の実施例に係る第１フィルターフレーム１３０には、前記第１フィルターフレーム１３０の下部を形成する下部フレーム１３１と、前記第１フィルターフレーム１３０の上部を形成する上部フレーム１３２と、前記下部フレーム１３１から前記上部フレーム１３２に向かって上方に延びる第１フィルター支持部１３５とがさらに含まれる。前記第１フィルター支持部１３５は多数個備えることができる。前記第１フィルター支持部１３５は、前記第１フィルター部材１２０の外面を支持する点から「支持フレーム」と命名することができる。
【０１７０】
前記第１及び第２フレーム１３１，１３２と前記多数の第１フィルター支持部１３５によって、前記第１フィルター部材１２０が位置する装着空間１３０ａが形成される。
【０１７１】
詳細には、前記下部フレーム１３１は、前記第１フィルター部材１２０の下部を取り囲むようにリング形状を有することができる。前記下部フレーム１３１には、前記下部フレーム１３１の少なくとも一部分が切開された形状を有するフレーム切開部１３１ａが含まれる。前記フレーム切開部１３１ａは、前記レバー装置１４２のハンドル１４４が位置する空間を形成し、前記ハンドル１４４の回転経路に対応する大きさに形成することができる。言い換えれば、前記フレーム切開部１３１ａは、前記ハンドル１４４が動き得る空間部を提供する。
【０１７２】
前記下部フレーム１３１にはフレーム締結部１３１ｃが形成される。前記フレーム締結部１３１ｃは、所定の締結部材によって、前記ベース２０のグリル締結部２３及び前記吸込グリル１１０のベース締結部１１１ｂに結合され得る。
【０１７３】
前記上部フレーム１３２は、前記第１フィルター部材１２０の上部を取り囲むようにリング形状を有し、前記下部フレーム１３１から上方に離隔して位置することができる。そして、前記上部フレーム１３２のリング状の内部空間はフレーム開口部１３２ａを形成する。前記フレーム開口部１３２ａは、前記第１フィルター部材１２０のフィルター孔１２２に連通するように構成することができる。
【０１７４】
前記上部フレーム１３２には、フレーム内壁１３３、及び前記フレーム内壁１３３を取り囲むフレーム外壁１３４が含まれる。前記フレーム内壁１３３及び前記フレーム外壁１３４はそれぞれ、リング形状を有することができる。そして、前記フレーム開口部１３２ａは、前記フレーム内壁１３３の内側空間として理解できる。
【０１７５】
前記フレーム外壁１３４の内周面は、前記フレーム内壁１３３の外周面から離隔し得る。前記上部フレーム１３２には、前記フレーム外壁１３４の下部から前記フレーム内壁１３３の下部に延びる壁連結部１３４ａがさらに含まれる。
【０１７６】
前記フレーム外壁１３４の内周面、前記フレーム内壁１３３の外周面、及び前記壁連結部１３４ａがなす空間には、前記第１ファンハウジング１５０の少なくとも一部分が位置するハウジング挿入部１３４ｂが形成される。そして、前記壁連結部１３４ａには、前記第１ファンハウジング１５０と結合されるハウジング結合部１３４ｃが備えられる。前記ハウジング結合部１３４ｃは、前記壁連結部１３４ａの両側に複数個備えることができる。所定の締結部材は、前記ハウジング結合部１３４ｃ及び前記第１ファンハウジング１５０のフレーム結合部１５１ａに結合され得る。
【０１７７】
前記上部フレーム１３２には、前記フレーム内壁１３３の内周面から突出して前記第１ファンハウジング１５０を支持するハウジング装着部１３３ａがさらに含まれる。前記ハウジング装着部１３３ａの内側空間は前記フレーム開口部１３２ａを形成する。
【０１７８】
前記上部フレーム１３２の上部は第１ファンハウジング１５０を支持することができる。前記第１ファンハウジング１５０は、前記第１フィルター部材１２０の出口側に設置することができる。詳細には、前記第１ファンハウジング１５０には、第１ファン１６０が収容されるハウジング空間部１５０ａを形成するハウジング本体１５１，１５２，１５３が含まれる。前記ハウジング本体１５１，１５２，１５３は前記第１フィルターフレーム１３０によって支持され得る。
【０１７９】
前記ハウジング本体１５１，１５２，１５３は、その直径が異なるように、段差を付けて構成することができる。詳細には、前記ハウジング本体１５１，１５２，１５３には、設定された第１直径（以下、第１設定直径）を有し、略円筒形状を有する第１本体１５１が含まれる。前記第１本体１５１は前記ハウジング本体１５１，１５２，１５３の上部を形成する。
【０１８０】
前記ハウジング本体１５１，１５２，１５３にはハウジング切開部１５４ａ，１５４ｂが含まれ得る。前記ハウジング切開部１５４ａ，１５４ｂは、前記第３本体１５３の少なくとも一部分を切開して形成することができる。一例として、前記ハウジング切開部１５４ａ，１５４ｂは、前記第３本体１５３の下端部から上方に所定の高さだけ切開されるように形成することができる。
【０１８１】
前記ハウジング切開部１５４ａ，１５４ｂには、前記第１フィルター支持部１３５と対応する位置に形成されて前記第１フィルター支持部１３５を支持する第１切開部１５４ａが含まれる。前記第１切開部１５４ａには、前記第１フィルター支持部１３５又はフレームカバー１３６が位置することができる。
【０１８２】
前記ハウジング切開部１５４ａ，１５４ｂには、前記センサ装着部１３８と対応する位置に形成されて前記センサ装着部１３８を支持する第２切開部１５４ｂが含まれる。前記第２切開部１５４ｂには、前記センサ装着部１３８が位置することができる。そして、前記第２切開部１５４ｂの上側には、前記センサ装着部１３８によって支持されるセンサ支持部１５５が含まれる。前記センサ装着部１３８及び前記センサ支持部１５５によって、前記センサ装置１３７が設置される設置空間部を定義することができる。
【０１８３】
前記第３本体１５３は、前記上部フレーム１３２に形成されるハウジング挿入部１３４ｂに挿入されるように位置することができる。まとめると、前記第３本体１５３は、前記ハウジング挿入部に挿入され、前記ハウジング切開部１５４ａ，１５４ｂは、前記第１フィルターフレーム１３５及び前記センサ装着部１３８の上部を支持することによって、前記第１フィルターフレーム１３０と前記第１ファンハウジング１５０は安定的に結合され得る。
【０１８４】
前記多数個の第１フィルター支持部１３５は、前記第１及び第２フレーム１３１，１３２の周縁部に沿って円周方向に配列されて、前記第１フィルター部材１２０の外周面を支持することができる。一例として、前記多数個の第１フィルター支持部１３５は、前記第１フィルターフレーム１３０の後方部に配置することができる。そして、前記第１フィルターフレーム１３０の前方部には、前記第１フィルター部材１２０が引き出し又は引き込みされる空間を提供する引込部１３０ｂが形成される。
【０１８５】
方向を定義する。前記第１フィルター部材１２０が引き出される方向を第１フィルターフレーム１３０の「前方」といい、前記第１フィルター部材１２０が引き込まれる方向を第１フィルターフレーム１３０の「後方」と定義することができる。前記下部フレーム１３１の形状を基準として、前記フレーム切開部１３１ａは前記下部フレーム１３１の前方部に形成され得る。
【０１８６】
言い換えれば、前記多数個の第１フィルター支持部１３５のいずれか２つの第１フィルター支持部１３５の間の空間のうち、前記第１フィルターフレーム１３０の前方に形成される空間には、前記引込部１３０ｂが形成される。前記いずれか２つの第１フィルター支持部１３５は第１フレーム１３５ａ，１３５ｂを含む。前記第１フレーム１３５ａ，１３５ｂは互いに対向するように配置され得る。
【０１８７】
前記第１フレーム１３５ａ，１３５ｂの間の空間のうち、前記第１フィルターフレーム１３０の後方に形成される空間には、第２フレーム１３５ｃ，１３５ｄが円周方向に配置され得る。前記第２フレーム１３５ｃ，１３５ｄは多数個備えることができる。
【０１８８】
図１３は、前記第１フィルターフレーム１３０において、下部フレーム１３１及び多数の第１フィルター支持部１３５の配置を示す概略図である。
【０１８９】
前記下部フレーム１３１の中心Ｃを基準として、前記２つの第１フレーム１３５ａ，１３５ｂは互いに対向するように配置される。言い換えれば、前記中心Ｃを通る中心線ｌ1は、前記２つの第１フレーム１３５ａ，１３５ｂを通ることができる。
【０１９０】
前記２つの第１フレーム１３５ａ，１３５ｂの間の空間のうち、前方空間には、前記第１フィルター部材１２０が引き出し又は引き込みされる引込部１３０ｂが形成され、後方空間には前記第２フレーム１３５ｃ，１３５ｄが配置され得る。
【０１９１】
前記第１フィルターフレーム１３０の支持力を考慮するとき、前記引込部１３０ｂが形成される第１フィルターフレーム１３０の前方部側の支持力は、前記第２フレーム１３５ｃ，１３５ｄが配置される後方部側の支持力よりも小さくなり得る。本実施例では、相対的に小さい前方部側の支持力を補強するために、前記第１フレーム１３５ａ，１３５ｂを前記第２フレーム１３５ｃ，１３５ｄよりも大きく形成する。
【０１９２】
詳細には、前記第１フレーム１３５ａ，１３５ｂの円周方向の長さＬ1は、前記第２フレーム１３５ｃ，１３５ｄの円周方向の長さＬ2よりも長く形成することができる。このような構成によれば、前記第１フレーム１３５ａ，１３５ｂの支持力は、前記第２フレーム１３５ｃ，１３５ｄの支持力よりも大きくなり得る。したがって、前記第１フィルターフレーム１３０の前方部側に別途のフレームが備えられないことによる不十分な支持力を補強できるようになる。
【０１９３】
そして、前記中心Ｃから前記２つの第１フレーム１３５ａ，１３５ｂの各前端部まで延びた２つの延長線ｌ2、ｌ3がなす２つの角度のうち、前記中心Ｃの後方側が形成する角度θは１８０°以上となり得る。すなわち、前記第１フレーム１３５ａ，１３５ｂの前端部は、前記下部フレーム１３１の中心Ｃを基準として前方側にさらに延びることによって、前記第１フィルターフレーム１３０の前方部側の支持力を補強することができる。
【０１９４】
前記第１フレーム１３５ａ，１３５ｂには、それぞれ直面部１３５ｅ及び曲面部１３５ｆが含まれる。前記直面部１３５ｅは、前記第１フレーム１３５ａ，１３５ｂの前端部から後方に向かって延びて前記第１フィルター部材１２０の引き込みをガイドする。そして、前記曲面部１３５ｆは、前記直面部１３５ｅから後方にラウンド状に延びて前記第１フィルター部材１２０を支持することができる。前記曲面部１３５ｆのラウンド状の曲率は、前記下部フレーム１３１の曲率に対応することができる。
【０１９５】
すなわち、前記直面部１３５ｅ及び曲面部１３５ｆが備えられることによって、前記第１フィルター部材１２０が前記装着空間１３０ａに向かって引き込まれるとき、前記第１フレーム１３５ａ，１３５ｂに干渉せず、前記第１フィルター部材１２０が前記装着空間１３０ａに装着完了したときは、前記第１フレーム１３５ａ，１３５ｂは前記第１フィルター部材１２０の外周面を容易に支持することができる。
【０１９６】
一方、前記下部フレーム１３１の外側には前記第１ケース１０１が備えられる。言い換えれば、前記第１ケース１０１は、前記下部フレーム１３１を取り囲むように配置される。前記第１ファン１６０が駆動されると、前記第１ケース１０１の第１吸込部１０２を介して半径方向への吸い込みが行われ、前記第１フィルターフレーム１３０によって支持される第１フィルター部材１２０に流動する。このような構成によれば、前記空気清浄機１０の円周方向から、すなわち、３６０°方向から空気の吸い込みが行われるので、空気清浄機の吸込容量を増大させることができるという利点がある。
【０１９７】
図１４及び図１５は、本発明の実施例に係るフィルター部材が装着空間に設置及び分離される様子を示す図である。
【０１９８】
図１４及び図１５を参照すると、本発明の実施例に係る第１フィルターフレーム１３０に形成される装着空間１３０ａには、前記第１フィルター部材１２０が分離可能に装着され得る。
【０１９９】
前記装着空間は、前記第１フィルター部材１２０の形状に対応して円筒状に備えることができる。前記第１フィルター部材１２０は、装着過程において、前記装着空間に向かって半径方向にスライド可能に引き込まれ得る。反対に、前記第１フィルター部材１２０は、分離過程において、前記装着空間から半径方向にスライド可能に引き出され得る。
【０２００】
詳細には、図１４は、前記第１フィルター部材１２０が分離された状態の様子を示す。このとき、前記レバー装置１４２のハンドル１４４は、前記第１フィルター部材１２０の解除位置、一例として、前記フレーム切開部１３１ａの一側端部に位置し得る。このときのハンドル１４４の位置を「第１位置」又は「解除位置」と命名することができる。
【０２０１】
前記ハンドル１４４が前記第１位置にあるときは、前記支持装置１４０は下方に下降した状態である。したがって、前記装着空間１３０ａは、前記第１フィルター部材１２０が引き込まれ得る程度に十分に大きな空間を形成する。
【０２０２】
図１４の状態で、前記第１フィルター部材１２０は、前記引込部１３０ｂを介して後方に移動して前記装着空間１３０ａに装着され得る。そして、前記ハンドル１４４を一方向に回転させて前記支持装置１４０が上方に移動するようにすることができる。一例として、前記ハンドル１４４は、図１４及び図１５を基準として時計方向に回転することができる。
【０２０３】
前記支持装置１４０が上方に移動すると、前記第１フィルター部材１２０は上方に移動し、前記第１フィルターフレーム１３０の上部、すなわち、前記上部フレーム１３２に密着し得る。したがって、前記第１フィルター部材１２０は結合位置にあるようになる。
【０２０４】
前記第１フィルター部材１２０が前記装着空間１３０ａに装着された状態で前記ハンドル１４４を他方向に回転させて、前記支持装置１４０が下方に移動するようにすることができる。一例として、前記ハンドル１４４は、図１４及び図１５を基準として反時計方向に回転することができる。前記支持装置１４０が下方に移動すると、前記第１フィルター部材１２０は、前記装着空間１３０ａから分離可能な位置にあるようになる。
【０２０５】
図１６乃至図１８は、本発明の実施例に係る空気清浄機での空気流動の様子を示す図である。図１６乃至図１８を参照して、本発明の実施例に係る空気の流動について簡単に説明する。
【０２０６】
まず、第１送風装置１００の駆動による空気の流れを説明する。第１ファン１６０が駆動すると、第１吸込部１０２及びベース吸込部１０３を介して室内空気が第１ケース１０１の内部に吸い込まれる。吸い込まれた空気は、第１フィルター部材１２０を通過し、この過程で空気中の異物がろ過され得る。そして、空気が第１フィルター部材１２０を通過する過程で、空気は第１フィルター部材１２０の半径方向に吸い込んでろ過された後、上方に流動する。
【０２０７】
詳細には、前記第１吸込部１０２の下部吸込部１０２ａを介して吸い込まれる空気は、内側半径方向に流動しながら前記第１フィルター部材１２０を通過する。そして、前記上部吸込部１０２ｂを介して吸い込まれる空気は、前記ハウジング吸込流路１５９に沿って下方に流動し、前記第１フィルター部材１２０の外周面側に流動して前記第１フィルター部材１２０を通過するようになる。前記ベース吸込部１０３を介して吸い込まれる空気は、前記第１フィルター部材１２０の外周面側に流動して前記第１フィルター部材１２０を通過するようになる。
【０２０８】
前記第１吸込部１０２及びベース吸込部１０３を介して吸い込まれた空気が第１フィルター部材１２０を通過する過程で、空気は、第１フィルター部材１２０の半径方向に吸い込んでろ過された後、上方に流動する。
【０２０９】
前記第１フィルター部材１２０を通過した空気は、第１ファン１６０を通過しながら半径方向上側に流動し、第１及び第２エアガイド装置１７０，１８０を通過しながら安定した上方流動が行われる。前記第１及び第２エアガイド装置１７０，１８０を通過した空気は、第１吐出ガイド装置１９０を経由し、第１吐出部１０５を介して上方に流動する。前記第１吐出部１０５を介して排出された空気は、前記第１吐出ガイド装置１９０の上側に位置した仕切り板４３０によってガイドされて前記空気清浄機１０の外部に排出される。
【０２１０】
一方、第２ファン２６０が駆動すると、第２吸込部２０２を介して室内空気が第２ケース２０１の内部に吸い込まれる。吸い込まれた空気は、第２フィルター部材２２０を通過し、この過程で空気中の異物がろ過され得る。そして、空気が第２フィルター部材２２０を通過する過程で、空気は、第２フィルター部材２２０の半径方向に吸い込んでろ過された後、上方に流動する。
【０２１１】
詳細には、前記第２吸込部２０２の下部吸込部２０２ａを介して吸い込まれる空気は、内側半径方向に流動しながら前記第２フィルター部材２２０を通過する。そして、前記上部吸込部２０２ｂを介して吸い込まれる空気は、前記ハウジング吸込流路２５９に沿って下方に流動し、前記第２フィルター部材２２０の外周面側に流動して前記第２フィルター部材２２０を通過するようになる。
【０２１２】
そして、空気が第２フィルター部材２２０を通過する過程で、空気は、第２フィルター部材２２０の半径方向に吸い込んでろ過された後、上方に流動する。
【０２１３】
前記第２フィルター部材２２０を通過した空気は、第２ファン２６０を通過しながら半径方向上側に流動し、第３エアガイド装置２７０及び第２吐出ガイド装置２８０を通過しながら安定した上方流動が行われる。前記第３エアガイド装置２７０及び第２吐出ガイド装置２８０を通過した空気は、流動調節装置３００を経由して第２吐出部３０５を介して排出され得る。
【０２１４】
このとき、前記流動調節装置３００が、図１７のように横になっている第１位置にあると、前記流動調節装置３００から排出された空気は上方に流動する。反面、前記流動調節装置３００が、図１８のように立てられている第２位置にあると、前記流動調節装置３００から排出された空気は前方上側に向かって流動し得る。前記流動調節装置３００によって、空気清浄機１０から排出される空気の風量は増加し、空気清浄機１０から遠く離れた位置まで浄化された空気を供給できるという利点がある。
【０２１５】
図１９は、本発明の第２実施例に係るフィルターフレームの構成を示す図である。
【０２１６】
図１９を参照すると、本発明の第２実施例に係る第１フィルターフレーム１３０には、前記第１吸込部１０２又は前記ベース吸込部１０３を介して吸い込まれた空気が前記第１フィルター部材１２０側に容易に流入できるように、空気の流動をガイドする流動ガイド部１３５ｇ，１３６ａが含まれる。
【０２１７】
前記流動ガイド部１３５ｇ，１３６ａには、前記第１フィルター支持部１３５に備えられる第１流動ガイド部１３５ｇが含まれる。前記第１流動ガイド部１３５ｇは、前記第１フレーム１３５ａ，１３５ｂ及び前記第２フレーム１３５ｃ，１３５ｄにそれぞれ形成することができる。そして、前記流動ガイド部１３５ｇ，１３６ａには、前記第１支持部カバー１３６に備えられる第２流動ガイド部１３６ａがさらに含まれる。
【０２１８】
前記流動ガイド部１３５ｇ，１３６ａには、空気を通過させることができるスリット（ｓｌｉｔ）が含まれ得る。前記流動ガイド部１３５ｇ，１３６ａが備えられることによって、空気は、前記第１支持部カバー１３６及び前記第１フィルター支持部１３５を通過して前記第１フィルター部材１２０に流入することができる。すなわち、前記第１支持部カバー１３６及び前記第１フィルター支持部１３５が空気の流動に対して抵抗として作用する現象を減少させることができるという利点がある。
【産業上の利用可能性】
【０２１９】
本発明の実施例によれば、フィルター部材は、フィルターフレームによって安定的に支持され、前記フィルターフレームの内部に形成される装着空間に便利に装着できるので、産業上の利用可能性が顕著である。
【図１】
2019512078.tif 000003
【図２】
2019512078.tif 000004
【図３】
2019512078.tif 000005
【図４】
2019512078.tif 000006
【図５】
2019512078.tif 000007
【図６】
2019512078.tif 000008
【図７】
2019512078.tif 000009
【図８】
2019512078.tif 000010
【図９】
2019512078.tif 000011
【図１０】
2019512078.tif 000012
【図１１】
2019512078.tif 000013
【図１２】
2019512078.tif 000014
【図１３】
2019512078.tif 000015
【図１４】
2019512078.tif 000016
【図１５】
2019512078.tif 000017
【図１６】
2019512078.tif 000018
【図１７】
2019512078.tif 000019
【図１８】
2019512078.tif 000020
【図１９】
2019512078.tif 000021
【国際調査報告】
2019512078.tif 000022
2019512078.tif 000023
2019512078.tif 000024
2019512078.tif 000025